(57)【要約】 【課題】  コンパクトに形成できるＩＣコイン処理装置を提供することを目的とする。【解決手段】  受入口２８からＩＣコイン処理装置２０へ入ってきたＩＣコインが、上部振分け部４０でデータが読み取られ、振分けディスク４４により保留通路２４へ案内される。保留通路下端の下部振分け部５０に保持されたＩＣコインはデータ処理が行われた後、振分けディスク５４により当該ＩＣコインを返却口６へ払出される。振分けディスク４４、５４はそれぞれに対応させた駆動モータとギヤ列を一直線状のケース内に対称に配置して狭いスペース内にコンパクトに収納した駆動ユニット８０により駆動される。【選択図】      図５
2006288979.tif 000002
【特許請求の範囲】
【請求項１】
データを記憶させたＩＣコインを受入れ可能で、前記データの処理を行うＩＣコイン処理装置において、
受入口と、
返却口と、
前記受入口からのＩＣコインを保留する保留通路と、
該保留通路の入口において、ＩＣコインのデータを読み取る第１リーダと、該第１リーダでデータを読み取ったＩＣコインを前記保留通路へ案内する第１振分けディスクを備える受入れ制御部と、
前記保留通路の出口において、ＩＣコインのデータを読み取る第２リーダと、該第２リーダでデータを読み取ったＩＣコインを前記返却口側へ案内する第２振分けディスクを備える払出し制御部とを有し、
前記第１振分けディスクと第２振分けディスクはそれぞれギヤ列を介してモータで駆動され、
前記第１振分けディスクを駆動するモータと第２振分けディスクを駆動するモータは、互いに平行に隣接して配置され、
前記各ギヤ列は前記第１振分けディスクと第２振分けディスク間の中間位置から互いに１８０°方向に延びていることを特徴とするＩＣコイン処理装置。
【発明の詳細な説明】
【技術分野】
【０００１】
本発明は、遊技施設に併設されパチンコ玉やメダル等の遊技媒体を貸し出す遊技媒体貸出機の内部に設置されるＩＣコイン処理装置に関する。
【背景技術】
【０００２】
パチンコ玉やメダル等を貸し出す従来の遊技媒体貸出機として、例えば特開２００２−１８１０９号公報に開示されたものがある。
これは電子データの書込みが可能なＩＣコインを利用するもので、遊技媒体貸出機は、紙幣およびＩＣコインの受付け機能を有し、指定購入金額に応じた玉やメダルなどの遊技媒体を払い出す一方、投入した紙幣やＩＣコインの金額から遊技媒体の購入金額を差し引いた金額その他のデータを書き込んだＩＣコインを払い出して返却するものとなっている。遊技媒体貸出機は払い出したＩＣコインに書き込んだデータを管理コンピュータにも書き込む。
【０００３】
返却されたＩＣコインは、精算機に投入することにより、当該ＩＣコインに書き込まれている金額の紙幣の払出しを受けることができ、あるいは次回に遊技媒体貸出機に投入することにより、遊技媒体の貸し出しを受けることができる。精算機や遊技媒体貸出機は、投入されたＩＣコインに書き込まれたデータと管理コンピュータに書き込まれているデータを照合して、正規のＩＣコインであることを確認する。
【特許文献１】特開２００２−１８１０９号公報
【発明の開示】
【発明が解決しようとする課題】
【０００４】
上記従来の遊技媒体貸出機では、紙幣とＩＣコインのみを受け付け可能となっており、複数の多数流通している硬貨は受付けしないものとしているが、遊技店の売上を高めるためには、紙幣、ＩＣコイン、硬貨、会員カードなど、多くの媒体が遊技媒体貸出機で使用できるようにすることが望ましい。
しかしながら、従来から上記したような多くの媒体を使用できるような遊技媒体貸出機の実現は非常に困難であった。それは、遊技媒体貸出機が、例えばパチンコ店ではパチンコ台間に設置するために、その正面パネルの幅が極限まで細く設定される上に高さや奥行きも制限され、内部のスペースは非常に小さいことから、紙幣識別機とＩＣコイン処理装置に加えて、硬貨識別機や会員カードリーダーまで配置する余裕がなかったからである。
【０００５】
本発明は、このような従来の問題点に鑑み、コンパクトに形成できるＩＣコイン処理装置を提供することを目的とする。
【課題を解決するための手段】
【０００６】
このため本発明は、受入口と、返却口と、受入口からのＩＣコインを保留する保留通路と、保留通路の入口において、ＩＣコインのデータを読み取る第１リーダと、第１リーダでデータを読み取ったＩＣコインを保留通路へ案内する第１振分けディスクを備える受入れ制御部と、保留通路の出口において、ＩＣコインのデータを読み取る第２リーダと、第２リーダでデータを読み取ったＩＣコインを返却口側へ案内する第２振分けディスクを備える払出し制御部とを有し、第１振分けディスクと第２振分けディスクはそれぞれギヤ列を介してモータで駆動され、第１振分けディスクを駆動するモータと第２振分けディスクを駆動するモータは、互いに平行に隣接して配置され、各ギヤ列は前記第１振分けディスクと第２振分けディスク間の中間位置から互いに１８０°方向に延びているものとした。
【発明の効果】
【０００７】
ＩＣコインを識別する受入れ制御部と遊技終了時に払出しを行なう払出し制御部の第１、第２振分けディスクの駆動にモータとギヤ列を必要とするが、双方のギヤ列をほぼ一直線状に延ばして配置するので、遊技媒体貸出機の狭いスペース内にコンパクトに収容される。
【発明を実施するための最良の形態】
【０００８】
以下、本発明の実施の形態について詳細に説明する。
図１は、本発明をパチンコ店に適用した実施の形態の構成を示す図である。
遊技媒体貸出機としての玉貸機１が図示省略のパチンコ台間に設置されている。玉貸機１は、それぞれ紙幣挿入口３、硬貨およびＩＣコインの共通投入口４、カード挿入口５、ＩＣコイン等の返却口６、および玉払出し口７を備えている。
玉貸機１はまた、内部に制御部６０を備え、各制御部６０は管理サーバ７０と通信可能に接続されている。
管理サーバ７０は、さらにパチンコ店内の適宜箇所に設置された精算機７５とも通信可能に接続されている。
ＩＣコインにはそれぞれを識別可能なＩＤが書き込まれており、管理サーバ７０は、ＩＣコインのＩＤに対応させた管理領域７２（７２Ａ、７２Ｂ、・・７２Ｎ）を設定し、各ＩＣコインの金額データを記憶可能に構成されている。
【０００９】
図２は玉貸機１の正面パネル２の正面図、図３は玉貸機１の側面図で、硬貨およびＩＣコインの通路の一部については断面を示している。
まず図２に示すように、正面パネル２の略中間高さ位置には樋状の玉払出し口７が配置されている。玉払出し口７より上側の上半部には、上から順に紙幣挿入口３、硬貨およびＩＣコインの共通投入口４が設けられ、さらにその下側には、返却スイッチ８、返却ボタン９、残高・貯玉度数表示部１０、残玉回数表示部１１、表示切替スイッチ１２、高額払出スイッチ１３、高額使用可表示部１４、貯玉払出スイッチ１５、貯玉使用可表示部１６が設けられている。
【００１０】
また、玉払出し口７より下側の下半部には、返却口６、鍵穴１７、およびカード挿入口５が設けられている。
返却スイッチ８は、ＩＣコインや会員カードの返却を求めるためのスイッチ、返却ボタン９は内部に詰まった硬貨やＩＣコインを払い出すためのボタンである。
残高・貯玉度数表示部１０は、投入された紙幣、ＩＣコインまたは会員カードの残高金額または対応する玉数を表示する。表示切替スイッチ１２はＩＣコインまたは会員カードのいずれの残高を残高・貯玉度数表示部１０に表示させるかを選択するためのものである。
残玉回数表示部１１は、貸玉を払出す際に、払出すべき玉数を減算表示する。
【００１１】
高額払出スイッチ１３は、例えば２千円以上の高額紙幣を投入したとき、まず千円分だけの玉が玉払出し樋から払い出されるが、その後さらに払出しを受けるためのものである。残高が存在する範囲で、このスイッチを押すごとに千円分ずつの玉が払い出される。
高額使用可表示部１４は、当該玉貸機が高額紙幣を受付け可能状態であることをＬＥＤの点灯で表示する。また貯玉使用可表示部１６は、当該玉貸機が会員カードを受付け可能状態であることをＬＥＤの点灯で表示する。
【００１２】
貯玉払出スイッチ１５は、会員カードが挿入されているとき、払出しを受けるためのものである。貯玉が存在する範囲で、このスイッチを押すごとに例えば１００個分など所定単位ずつの玉が払い出される。
返却口６は、残高が設定されたＩＣコイン、および不良硬貨（偽貨）を払い出す。
下半部のうち返却口６を含むパネル２ａは、鍵穴１７にキーを挿し込んで開くことができ、後述するエラーコイン収納部６２から読取りエラーの発生したＩＣコインを回収可能となっている。
【００１３】
図３に示すように、玉貸機１内部では、玉通路６６が玉払出し口７を図示しない貸玉供給部に接続している。玉貸機１の上部には、紙幣挿入口３（図２参照）に連ねた紙幣識別機１８が設けられ、紙幣挿入口３から投入された紙幣の真偽および金額を識別する。投入されたものが真紙幣の場合は図示しない紙幣搬送通路へ送り出される一方、偽紙幣の場合は紙幣挿入口３から差し戻される。
硬貨およびＩＣコインの共通投入口４（図２参照）には投入通路２１が接続され、共通投入口４から投入された硬貨あるいはＩＣコインを硬貨セレクタ３０へ案内する。
【００１４】
硬貨セレクタ３０は、投入通路２１からの硬貨あるいはＩＣコインを受け入れる受入れ通路３１を有し、受入れ通路３１にそって第１、第２のセンサ３２、３３を備えている。
そしてこれら第１、第２のセンサで硬貨を識別して、振分けゲート３４を切替え作動させる。
図４は振分けゲート部分の断面図である。硬貨およびＩＣコインの共通投入口４から投入された硬貨が正貨であれば振分けゲート３４が開いて、受入れ通路３１からの硬貨が第１通路３５へ案内される。
共通投入口４から投入されたものが偽貨またはＩＣコインの場合は、振分けゲート３４が閉じて、第２通路３６へ案内される。
硬貨セレクタ３０の第１通路３５は正貨通路２２に接続し、正貨は正貨通路２２から図示しない硬貨搬送路へ送り出される。第２通路３６は後述するＩＣコイン処理装置２０の非正貨通路２３に接続する。
【００１５】
非正貨通路２３の下端は、上部振分け部４０を介して左右に枝分かれした保留通路２４と偽貨返却通路２５につながっている。
上部振分け部４０は、ＩＣコインのＩＤ読み取りを行う上部リーダと、振分けディスクを備える。上部リーダと、振分けディスクについては後述する。
偽貨返却通路２５の下端は返却口６に接続開口している。
【００１６】
保留通路２４の下端は、下部振分け部５０を介して左右に枝分かれした回収通路２６とＩＣコイン払出し通路２７につながっている。下部振分け部５０は、ＩＣコインのＩＤ読み取りを行う下部リーダと、振分けディスクを備える。下部振分け部５０の下部リーダと振分けディスクについては後述する。
保留通路２４は共通投入口４から投入されたＩＣコインを多数保留するために、折れ曲がり形状として長い通路長を確保している。
回収通路２６は玉貸機１の下部に配置されたエラーコイン収納部６２につながり、ＩＣコイン払出し通路２７は返却口６に開口している。
玉貸機１の底部には、カード挿入口５に対応させてカードリードライタ６４が設置されている。
【００１７】
つぎに、ＩＣコイン処理装置２０の構造について説明する。図５は、ＩＣコイン処理装置２０の外観斜視図、図６はその側面図、図７は正面図、図８は図６におけるＡ−Ａ部断面図である。
上部振分け部４０と下部振分け部５０の通路壁には、それぞれドア４９、５９が設けられ、ドア４９には上部リーダ４２が取り付けられ、ドア５９には下部リーダ５２が取り付けられている。
ドア４９、５９はそれぞれ開閉可能となっており、とくに図５は各ドアを開いた状態を示している。
【００１８】
上部振分け部４０には、振分けディスク４４が設けられている。振分けディスク４４は周縁部に切り欠き凹部４５を有して、非正貨通路２３を移動してきたＩＣコイン等をその切り欠き凹部４５に保持し、一方向または逆方向に回動して、保持したＩＣコイン等を保留通路２４または偽貨返却通路２５へ振り分ける。
振分けディスク４４の切り欠き凹部４５に保持されているＩＣコインを、必要に応じて、上部振分け部のＩＣコインと呼ぶ。ドア４９に取り付けられた上部リーダ４２は振分けディスク４４に保持されたＩＣコインのＩＤを読み取り、そのＩＤを制御部６０へ出力する。
【００１９】
下部振分け部５０には、振分けディスク５４が設けられている。振分けディスク５４は周縁部に切り欠き凹部５５を有して、保留通路２４を移動してきたＩＣコインをその切り欠き凹部５５に保持する。
振分けディスク５４の切り欠き凹部５５に保持されているＩＣコインを、必要に応じて、下部振分け部のＩＣコインと呼ぶ。ドア５９に取り付けられた下部リーダ５２は振分けディスク５４に保持されたＩＣコインのＩＤを読み取り、そのＩＤを制御部６０へ出力する。
振分けディスク５４は、一方向または逆方向に回動して、切り欠き凹部５５に保持したＩＣコインをＩＣコイン払出し通路２７または回収通路２６へ振り分ける。
【００２０】
上部振分け部４０において、振分けディスク４４には透過穴４６（図５参照）が設けられている。振分けディスク４４を挟んでドア４９と反対側の通路壁に図示省略の光源を設置し、該光源からの光を透過穴４６を通して受光する受光部４７をドア４９に設置して、光源と受光部とで透過センサ９０を形成している。
ＩＣコインなどが振分けディスク４４の上向き位置にある切り欠き凹部４５に入ると、透過穴４６を通して光源から受光部４７に届いていた光が遮断されるので、ＩＣコインなどが切り欠き凹部４５に保持されたことが検知される。
下部振分け部５０においても、同様に振分けディスク５４に透過穴５６が設けられ、ドア５９には受光部５７が設置されて、透過センサ９２が形成されている。
なお、後掲の図１０に示すように、振分けディスク４４、５４の各切り欠き凹部４５、５５には複数本の突条４８、５８を設けて、当該切り欠き凹部へのＩＣコインの出入に対する摩擦抵抗を軽減させている。
【００２１】
保留通路２４に重ねて、振分けディスク４４と振分けディスク５４とを駆動する駆動ユニット８０が設けられている。
上部振分け部４０から分岐した偽貨返却通路２５は、図６の側面図において、駆動ユニット８０の前側（正面パネル側）にそって返却口６へ向け、下方へ延びている。なお、図７に示すように、偽貨返却通路２５は、駆動ユニット８０上から前側へ張り出した保留通路２４との干渉を避けるため、下部において保留通路２４の厚み分だけオフセットしている。
【００２２】
非正貨通路２３、保留通路２４、回収通路２６およびＩＣコイン払出し通路２７は樹脂成型で一体に形成された半割り部材を互いに重ね合わせにして構成してある。偽貨返却通路２５もオフセット部分を含む下半部は重ね合わせ構造となっている。
図９に示すように、偽貨返却通路２５とコイン払出し通路２７は、偽貨返却通路２５の先端近傍に切り欠き２５ａを設けて、該切り欠き２５ａに他方の半割り部材に形成したコイン払出し通路２７の先端を臨ませて、偽貨返却通路２５の先端開口を共通の開口として返却口６に連通するようにしてある。
また図８に示すように、駆動ユニット８０のケース８１は、上記保留通路２４等の半割り部材の一方と一体に形成された本体部８１ａと、カバー８１ｂとからなっている。
【００２３】
つぎに、駆動ユニット８０の詳細について説明する。
図１０は駆動モータとギヤ列のみを取り出して示す図、図１１は、カバー８１ｂ側から当該カバーを取り外してケース内部のギヤ列と駆動モータの配置を裏側から見た図、図１２は図１１におけるＣ−Ｃ矢視図である。
振分けディスク４４と振分けディスク５４間の中央部に駆動モータ８２Ｕが配置され、駆動モータ８２Ｕから、ケース８１の長手方向に沿って、順次に第１ギヤ８４、第２ギヤ８５、第３ギヤ８６が連結し、第３ギヤ８６が振分けディスク４４と噛み合っている。各ギヤはそれぞれ大歯車と小歯車を備えて、順次に減速する。
駆動モータ８２Ｕはほぼ振分けディスク４４方向へ向けた回転軸に斜歯歯車８３を備え、第１ギヤの大歯車８４ａは、駆動モータ８２Ｕの斜歯歯車８３と噛み合う斜歯となっている。その他の各ギヤの歯車は平歯車である。振分けディスク４４は、切り欠き凹部４５を形成した面の裏側に第３ギヤ８６の小歯車８６ｂと噛み合う大歯車８７（図１２参照）を備えている。
【００２４】
第１ギヤ８４、第２ギヤ８５、第３ギヤ８６、そして振分けディスク４４の各中心軸は、ケース８１のカバー８１ｂとこれに対向する本体部８１ａの底壁の双方または一方に支持されている。また駆動モータ８２Ｕは本体部８１ａの底壁から立ち上がったファスナ部８８に嵌め込んで固定される。
駆動モータ８２Ｕの回転が第１ギヤ８４〜第３ギヤ８６のギヤ列により減速、伝達されて、振分けディスク４４を回転させる。
【００２５】
同様の駆動モータ８２Ｌと第１ギヤ８４〜第３ギヤ８６のギヤ列が、振分けディスク４４と振分けディスク５４間の中央部から振分けディスク５４へ向かって、すなわち、振分けディスク４４用の駆動モータとギヤ列に対して１８０°方向にケース８１に沿って、設けられている。これにより、両ギヤ列は振分けディスク４４と振分けディスク５４間の中央部を基準点として点対称となっている。
駆動モータ８２Ｌの回転がギヤ列により減速、伝達されて、振分けディスク５４を回転させる。
制御部６０は、駆動モータ８２Ｕ、８２Ｌを制御することにより、上部振分け部の振分けディスク４４、あるいは下部振分け部の振分けディスク５４の回転および回転位置を制御する。
【００２６】
２つの駆動モータ８２Ｕ、８２Ｌは、互いに平行に配置されているが、ケース８１の長手方向に対してはそれぞれ傾斜させて、斜歯歯車８３をケース８１の幅方向中央寄りに位置させている。これにより、ケース８１が幅狭であるにもかかわらず、斜歯歯車８３と噛み合う第１ギヤ８４も中央寄りとなって、第１ギヤ８４はケース８１の側壁と干渉しないでケース８１内に収納されている。
【００２７】
図３に戻って、制御部６０は、玉貸機１の下半部に、保留通路２４および回収通路２６と重ねて、駆動ユニット８０の後側に配置されている。
制御部６０は、紙幣識別機１８、上部振分け部４０、下部振分け部５０、およびカードリードライタ６４と図示しない信号線で接続されている。
これにより、紙幣識別機１８は紙幣挿入口３から投入された紙幣の金額データを制御部６０へ出力する。
【００２８】
図５等も参照して、上部振分け部４０では、正貨と識別されずに硬貨セレクタ３０を通過してきた硬貨（偽貨）あるいはＩＣコインが振分けディスク４４の切り欠き凹部４５に入ると、透過センサ９０の検知信号が制御部６０へ入力され、制御部６０はその信号に基いて、切り欠き凹部４５に保持されたＩＣコインのＩＤを上部リーダ４２に読み取らせる。
上部リーダ４２で読み取ったＩＣコインのＩＤデータは制御部６０に入力される。上部リーダ４２でＩＣコインのＩＤが読み取れた場合は、制御部６０は当該ＩＣコインを保留通路２４へ送り出す方向に振分けディスク４４を回動させる指令を出力する。
【００２９】
一方、上部リーダ４２でＩＤを読み取れなかったときは、振分けディスク４４の切り欠き凹部４５に保持したものはＩＣコインではなく偽貨であるものとして、偽貨返却通路２５へ送り出す方向に振分けディスク４４を回動させる指令を出力する。
回動してＩＣコイン等を振分けた後の振分けディスク４４は、透過センサ９０と同様に上部振分け部４０に設けた図示しない透過センサの信号によって、切り欠き凹部４５が上向きとなった位置で停止される。
【００３０】
下部振分け部５０でも、透過センサ９２で振分けディスク５４の切り欠き凹部５５に入ったＩＣコインを検知し、切り欠き凹部５５に保持したＩＣコインのＩＤを、制御部６０からの指示に基いて下部リーダ５２で読み取り、そのＩＤを制御部６０へ出力する。
制御部６０は別途ＩＣコインの払出しが必要となるまで、当該ＩＣコインを下部振分け部５０に保持させたままとする一方、下部リーダ５２から受け取ったＩＣコインのＩＤを管理サーバ７０へ出力して、当該ＩＤのための管理領域７２を設定させる。
ＩＣコインのＩＤを下部リーダ５２で読み取れないエラーが発生したときには、制御部６０は当該ＩＣコインを回収通路２６へ送り出す方向に振分けディスク５４を回動させる指令を出力する。
振分けディスク５４が回動後、再び切り欠き凹部５５が上向きとなる位置に戻るのは、振分けディスク４４の場合と同様である。
【００３１】
カードリードライタ６４からは、カード挿入口５から挿入された会員カードに記録された金額データが読み取られて制御部６０に入力され、制御部６０からは払出した貸玉の購入金額を差し引いた残高データが出力されて会員カードに書き込まれる。
【００３２】
図１３、図１４は、以上のように構成された実施の形態における、とくに紙幣、硬貨、およびＩＣコインによる貸玉購入時の制御動作の流れを示すフローチャートである。
まず、ステップ１００において、玉貸機１の紙幣識別機１８、硬貨セレクタ３０、および上部振分け部４０は待機状態にある。
紙幣挿入口３から紙幣が投入されて、紙幣識別機１８から入金金額データが制御部６０へ入力されるとステップ１０１へ進む。
硬貨およびＩＣコインの共通投入口４から硬貨が投入されて、硬貨セレクタ３０から入金金額データが制御部６０へ入力されるとステップ１０２へ進む。
共通投入口４からＩＣコインが投入されて、上部振分け部４０からＩＣコインのＩＤが制御部６０へ入力されるとステップ３０１へ進む。
【００３３】
ステップ１０１で、制御部６０は、入金金額が千円以下であるかをチェックして、千円以下であればステップ１０２へ進み、千円を超える高額の場合はステップ１０３へ進む。
ステップ１０２では、制御部６０は入金金額分だけの貸玉を払出すように、貸玉供給部へ指令を出力して玉貸し処理を実行し、待機状態へ戻る。
また、共通投入口４から硬貨が投入された場合も、このステップ１０２において入金金額分だけの玉貸し処理が実行される。
【００３４】
一方、高額入金の場合、ステップ１０３では、制御部６０が、下部振分け部５０のＩＣコインのＩＤと入金金額のデータを管理サーバ７０へ出力する。これにより、管理サーバ７０は、当該ＩＣコインのＩＤ（ＩＤ：Ａ）に対応させた管理領域７２Ａに入金金額（例えば５０００円）を記憶する。
このあとステップ１０４において、管理サーバ７０はまず千円分の玉貸しを制御部６０へ指示し、これに基づいて制御部６０は貸玉供給部へ指令を出力して玉貸し処理を実行する。管理サーバ７０は、下部振分け部５０のＩＣコインのＩＤ（ＩＤ：Ａ）に対応する管理領域７２Ａに記憶した金額から玉貸分の千円を差し引いた新たな金額（４０００円）を、当該管理領域に記憶する。
【００３５】
続いてステップ１０５において、管理サーバ７０は、上記管理領域７２Ａに記憶された金額が０（ゼロ）でない、すなわち残高があるかどうかをチェックする。そして残高がある場合は、ステップ１０６へ進み、残高がない場合は待機状態へ戻る。
ステップ１０６では、管理サーバ７０は残高を制御部６０へ出力し、これを受信した制御部６０は利用可能残高として残高・貯玉度数表示部１１に表示する。
【００３６】
ステップ１０７では、制御部６０は、高額払出スイッチ１３がオンされたかどうかをチェックする。高額払出スイッチ１３がオンされた場合は、制御部６０はその旨を管理サーバ７０へ出力してステップ１０４へ戻る。すなわち、管理サーバ７０は千円分の玉貸しを制御部６０へ指示し、これに基づいて制御部６０は玉貸し処理を実行する。管理サーバ７０は、下部振分け部５０のＩＣコインのＩＤ（ＩＤ：Ａ）に対応する管理領域７２Ａに記憶した金額から玉貸分の千円を差し引いた新たな金額（３０００円）を、当該管理領域に記憶する。
【００３７】
高額払出スイッチ１３がオンされていない場合は、ステップ１０７からステップ１０８へ進み、返却スイッチ８がオンされたかどうかをチェックする。返却スイッチ８もオンされていないときはステップ１０７へ戻り、高額払出スイッチ１３のオンまたは返却スイッチ８のオンのチェックを繰り返す。
【００３８】
ステップ１０８のチェックで返却スイッチ８がオンされたときは、ステップ１０９において制御部６０は下部振分け部５０に指令を出し、振分けディスク５４を回動させてその切り欠き凹部５５に保持したＩＣコインをＩＣコイン払出し通路２７へ払出させる。
そして、ステップ１１０において、制御部６０は次に下部振分け部５０の振分けディスク５４に保持されたＩＣコインのＩＤ（ＩＤ：Ｂ）を下部リーダ５２から受けて、そのＩＤを管理サーバ７０に出力して新たな管理領域７２Ｂを設定させたあと、待機状態へ戻る。
【００３９】
ＩＣコインが投入された場合のステップ３０１では、制御部６０は、上部リーダ４２が読み取った上部振分け部４０のＩＣコインのＩＤ（ＩＤ：Ｃ）を管理サーバ７０へ出力する。
ステップ３０２では、管理サーバ７０は、投入された当該ＩＣコインのＩＤ（ＩＤ：Ｃ）に対応する管理領域を検索し、その管理領域７２Ｃに記憶された金額が０（ゼロ）でない、すなわち残高があるかどうかをチェックする。そして残高がある場合は、ステップ３０３へ進み、残高がない場合はステップ３０５へ進む。
【００４０】
ステップ３０３で管理サーバ７０は、下部振分け部５０のＩＣコインのＩＤ（ＩＤ：Ｄ）に対応する管理領域７２Ｄに上記残高を移動させる。
すなわち、図１５に示すように、投入されたＩＣコインのＩＤ（ＩＤ：Ｃ）に対応する管理領域７２Ｃに記憶された金額が例えば３０００円であった場合、矢示のように、元来記憶値が０円であった下部振分け部５０のＩＣコインのＩＤ（ＩＤ：Ｄ）に対応する管理領域７２Ｄに上記３０００円が記憶され、管理領域７２Ｃの記憶値が０円に書き換えられて、残高が付け替えられる。
【００４１】
次のステップ３０４において、制御部６０は振分けディスク４４を回動させて、上部振分け部の残高をゼロとされたＩＣコインを保留通路２４へ送る。
これにより、共通投入口４から投入されたＩＣコインは保留通路２４に入って保留される際にすべて残高がゼロに設定されることになる。
このあとは、ステップ１０４の玉貸し処理に進み、以後、高額入金時の処理と同じである。
一方、投入されたＩＣコインに残高がなかった場合のステップ３０５では、制御部６０が当該ＩＣコインを上部振分け部４０から保留通路２４へ送らせ、その後待機状態に戻る。
【００４２】
以上のように、高額入金に対して入金金額の全部を消費しないで遊技を終了する場合には、ＩＣコインを払出し、そのＩＣコインのＩＤに対応させて管理サーバ７０に残額が記憶されるので、次回ＩＣコインを投入すればそのＩＤに基いて残高が確認され、貸玉の購入が可能となる。
また、投入されたＩＣコインはその残高が管理サーバ７０においてゼロにされ、代わりに次の払出し用に下部振分け部５０に保持されている別のＩＣコインのＩＤに対応する管理領域に付け替えられる。残高をゼロとされたＩＣコインは保留通路２４、すなわち玉貸機１内に保留されるから、投入したＩＣコインとはＩＤが異なるＩＣコインが払出されることとなる。
【００４３】
なお、残高・貯玉度数表示部１１に残高が表示されている状態で、さらに硬貨や千円以下の紙幣が投入された場合には、ステップ１０２で投入金額分だけの貸玉が払出される。
また、残高・貯玉度数表示部１１に残高が表示されている状態で、さらに高額の紙幣やＩＣコインが投入された場合は、制御部６０から管理サーバ７０へその旨が出力されるから、ステップ１０４以下で千円分の玉貸しが行われ、下部振分け部５０に保持されているＩＣコインのＩＤに対応する管理領域の残額に差額が加算される。
ただし、残高・貯玉度数表示部１１に残高として所定の高額金額が表示されているときには、さらなる紙幣の投入などを受け付けないように設定することも可能である。
【００４４】
なお、図６に示すように、保留通路２４の上端近傍における上部振分け部４０の直下流には、ＩＣコインが保留通路２４の上端近傍まで貯まったことを検知するための透過センサ９５が設置されている。透過センサ９５は制御部６０に接続され、ＩＣコインが保留通路２４の上端近傍まで貯まったときには、透過センサ９５からの信号に基いて下部振分け部５０の振分けディスク５４を回動させ、当該振分けディスクに保持していた保留通路２４の最下端のＩＣコインを回収通路２６側へ払出して、エラーコイン収納部６２に回収する。これにより、保留通路２４の上部に余裕のスペースが確保されるので、共通投入口４から新しく投入されたＩＣコインを受けた振分けディスク４４が回動してもその切り欠き凹部４５からＩＣコインが払出されず、詰まってしまうということが防止される。
なお上記動作の際には、回収通路２６側へ払出されるＩＣコインのＩＤに対応する管理領域に残高があるときは、当該残高は次に下部振分け部５０の振分けディスク５４に保持されたＩＣコインのＩＤに対応する管理領域に付け替えられる。
【００４５】
精算機７５もＩＣコインのＩＤを読み取る図示省略のリーダ部を備え、精算機７５に投入されたＩＣコインのＩＤを管理サーバ７０に出力する。管理サーバ７０は当該ＩＤに対応する管理領域７２に記憶された残額を精算機７５へ通知するので、精算機７５はその残額を精算金として払出す。管理サーバ７０は残額を精算機７５へ通知した後、当該ＩＤに対応する管理領域の残額をゼロに書き換える。
【００４６】
本実施の形態では、上部振分け部４０が発明における受入れ制御部を構成し、上部リーダ４２が第１リーダを、振分けディスク４４が第１振分けディスクを、下部振分け部５０が払出し制御部を、上部リーダ４２が第２リーダを、振分けディスク５４が第２振分けディスクを、そして駆動モータ８２Ｕ、８２Ｌがモータを構成している。
【００４７】
実施の形態は以上のように構成され、玉貸機１が硬貨とＩＣコインの共通投入口４を有するとともに、内部にＩＣコイン処理装置２０を設け、ＩＣコイン処理装置２０には共通投入口４からのＩＣコインを保留する保留通路２４の出口にＩＣコインを払出し可能に保持する下部振分け部５０を設け、紙幣挿入口３または共通投入口４からの入金金額から貸玉の購入金額を差し引いた残額を、下部振分け部５０に保持したＩＣコインに対応させて記憶する管理サーバ７０を設け、下部振分け部５０は残額が管理サーバ７０への記憶により設定されたＩＣコインを払出すものとしたので、次回はこの払出されたＩＣコインを共通投入口４から投入することにより貸玉を購入することができる。
【００４８】
そしてとくに、ＩＣコイン処理装置２０は、保留通路２４の入口に、ＩＣコインのＩＤを読み取る上部リーダ４２と、上部リーダ４２でＩＤを読み取ったＩＣコインを保留通路２４へ案内する振分けディスク４４を備える上部振分け部４０を有するとともに、保留通路２４出口の下部振分け部５０もＩＣコインのＩＤを読み取る下部リーダ５２と、ＩＤを読み取ったＩＣコインを返却口６につながるＩＣコイン払出し通路２７へ案内する振分けディスク５４を備えており、各振分けディスク４４、５４は両振分けディスク間の中間位置から互いに１８０°方向に点対称に延ばした第１ギヤ８４〜第３ギヤ８６のギヤ列を介して、駆動モータ８２Ｕ、８２Ｌで駆動するようにしたので、玉貸機１の狭いスペース内にコンパクトに収容される。
【００４９】
さらに、駆動モータ８２Ｕ、８２Ｌとギヤ列は、振分けディスク４４と振分けディスク５４を結ぶ方向に延びるケース８１内に配置され、両駆動モータ８２Ｕ、８２Ｌは、互いに隣接して、ケース８１の長手方向に対してそれぞれ傾斜させて互いに平行に配置してあるので、駆動モータ８２Ｕ、８２Ｌの斜歯歯車３３と噛み合う第１ギヤ８４をそれぞれケース幅の中央寄りとして、ケース８１の幅サイズを狭くすることができる。
【００５０】
また、上部振分け部４０における振分けディスク４４が位置する通路壁および下部振分け部５０における振分けディスク５４が位置する通路壁にはそれぞれ開閉可能なドア４９，５９としてあるので、振分けディスク部４４、５４でのＩＣコイン等の詰まり除去や透過センサ９０の受光部４７の清掃などを簡単に行うことができる。
また、下部振分け部５０から払出されるＩＣコインの返却口６が、硬貨セレクタ３０で識別されなかった硬貨や上部振分け部４０の上部リーダ４２でデータを読み取れなかったＩＣコインの返却口を兼ねるものとしたので、玉貸機１の幅狭の正面パネル２の貴重なスペースを取ることがない。
【００５１】
ＩＣコインのデータについては、共通投入口４から投入されたＩＣコインが保留通路２４に入る際にその残高が特定され、管理サーバ７０では当該残高を保留通路２４の出口の下部振分け部５０に保持されたＩＣコインに付け替え記憶するので、保留通路２４に複数のＩＣコインが保留されていても、投入されたＩＣコインの残高は次に払出されるＩＣコインに確実に反映される。
【００５２】
そしてＩＣコインにはそれぞれを識別可能なＩＤが書き込まれ、残高設定は、下部振分け部５０に保持したＩＣコインのＩＤを読み取る下部リーダ５２を設け、管理サーバ７０には読み取られたＩＤに対応する管理領域を設定して、上記残高をこの管理領域に記憶することにより行い、また、残高特定については、保留通路２４の入口の上部振分け部４０に共通投入口４からのＩＣコインのＩＤを読み取る上部リーダ４２を設け、読み取られたＩＤに対応する管理サーバ７０の管理領域の記憶値を、当該ＩＣコインの残高とし、さらに、残高付け替えは、上部リーダ４２で読み取られたＩＤに対応する管理領域の記憶値を、下部振分け部５０に保持したＩＣコインのＩＤに対応する管理領域に記憶するとともに、上部リーダ４２で読み取られたＩＤに対応する管理領域の記憶値をゼロにするものとしたので、ＩＣコインには金額データを記憶させる必要はなく、不正な金額データ書換えの恐れがない。
【００５３】
実施の形態は、パチンコ店の玉貸機に適用することを例として説明したが、本発明はこれに限定されず、パチンコ玉のほかメダルその他の遊技媒体貸出機にも適用される。
なお、実施の形態では、ＩＣコインにはＩＤを書き込み、金額データは管理サーバ７０に記憶させるものとしたが、不正行為防止のための照合データの書込みなどを併用すれば、ＩＣコイン自体に金額データを書き込むものとすることもできる。
【図面の簡単な説明】
【００５４】
【図１】本発明の実施の形態の構成を示す図である。
【図２】玉貸機の正面パネルの正面図である。
【図３】玉貸機の内部構造を示す側面図である。
【図４】硬貨セレクタにおける振分けゲート部分の断面図である。
【図５】ＩＣコイン処理装置の外観斜視図である。
【図６】図５の対象部分の側面図である。
【図７】図５の対象部分の正面図である。
【図８】図６におけるＡ−Ａ部断面図である。
【図９】図６におけるＢ−Ｂ部断面図である。
【図１０】駆動モータとギヤ列を示す図である。
【図１１】ケース内部のギヤ列と駆動モータを裏側から見た図である。
【図１２】図１１におけるＣ−Ｃ矢視図である。
【図１３】貸玉購入時の制御動作の流れを示すフローチャートである。
【図１４】貸玉購入時の制御動作の流れを示すフローチャートである。
【図１５】ＩＣコインの残額の付け替え処理を示す説明図である。
【符号の説明】
【００５５】
１      玉貸機
２      正面パネル
３      紙幣挿入口
４      共通投入口
５      カード挿入口
６      返却口
７      玉払出し口
８      返却スイッチ
９      返却ボタン
１０    残玉回数表示部
１１    残高・貯玉度数表示部
１２    表示切替スイッチ
１３    高額払出スイッチ
１４    高額使用可表示部
１５    貯玉払出スイッチ
１６    貯玉使用可表示部
１７    鍵穴
１８    紙幣識別機
２０    ＩＣコイン処理装置
２１    投入通路
２２    正貨通路
２３    非正貨通路
２４    保留通路
２５    偽貨返却通路
２５ａ    切り欠き
２６    回収通路
２７    ＩＣコイン払出し通路
２８    受入口
３０    硬貨セレクタ
３１    受入れ通路
３２    第１のセンサ
３３    第２のセンサ
３４    振分けゲート
３５    第１通路
３６    第２通路
４０    上部振分け部
４２    上部リーダ
４４、５４    振分けディスク
４５、５５    切り欠き凹部
４６、５６    透過穴
４７、５７    受光部
４８、５８    突条
４９、５９    ドア
５０    下部振分け部
５２    下部リーダ
６０    制御部
６２    エラーコイン収納部
６４    カードリードライタ
６６    玉通路
７０    管理サーバ
７２    管理領域
７５    精算機
８０    駆動ユニット
８１    ケース
８１ａ    本体部
８１ｂ    カバー
８２Ｕ、８２Ｌ    駆動モータ
８３    斜歯歯車
８４    第１ギヤ
８４ａ    大歯車
８５    第２ギヤ
８６    第３ギヤ
８６ｂ    小歯車
８７    大歯車
８８    ファスナ部
９０、９２、９５    透過センサ
Ｋ      ＩＣコイン
【図１】
2006288979.tif 000003
【図２】
2006288979.tif 000004
【図３】
2006288979.tif 000005
【図４】
2006288979.tif 000006
【図５】
2006288979.tif 000007
【図６】
2006288979.tif 000008
【図７】
2006288979.tif 000009
【図８】
2006288979.tif 000010
【図９】
2006288979.tif 000011
【図１０】
2006288979.tif 000012
【図１１】
2006288979.tif 000013
【図１２】
2006288979.tif 000014
【図１３】
2006288979.tif 000015
【図１４】
2006288979.tif 000016
【図１５】
2006288979.tif 000017